(57)【要約】      （修正有）【課題】洗浄槽への給水及び排水が容易であり、移動可能な盛り付け調理器具用洗浄台を提供する。【解決手段】盛り付け調理器具用移動式洗浄台は、キャスター２３を備える本体部２０と、本体部２０の上部に開口を有し、盛り付け調理器具を洗浄する洗浄槽３０と、洗浄槽３０に洗浄水を供給する注水口４０と、洗浄水を収容する給水タンク６１と、洗浄槽３０からの排水を収容する排水タンク６２と、給水タンク６１より洗浄水を吸入し、注水口４０へ送るポンプ５０と、を備える。【選択図】図２
0003224052.tif 000002
【実用新案登録請求の範囲】
【請求項１】
キャスターを備える本体部と、
前記本体部の上部に開口を有し、盛り付け調理器具を洗浄する洗浄槽と、
前記洗浄槽に洗浄水を供給する注水口と、
前記洗浄水を収容する給水タンクと、
前記洗浄槽からの排水を収容する排水タンクと、
前記給水タンクより前記洗浄水を吸入し、前記注水口へ送るポンプと、
を備えることを特徴とする盛り付け調理器具用移動式洗浄台。
【請求項２】
さらに、前記給水タンク及び前記排水タンクを載置するタンク架台を備え、
前記タンク架台は、キャスターを備え、前記本体部から独立して移動可能な請求項１に記載の盛り付け調理器具用移動式洗浄台。
【請求項３】
さらに、前記ポンプの出力を調節する出力調節器を備え、
前記出力調節器は、前記注水口に連続して一定の流量で前記洗浄水が供給されるように、前記ポンプの出力を調節する請求項１又は２に記載の盛り付け調理器具用移動式洗浄台。
【請求項４】
前記給水タンク内に、洗浄水水位検知器を備え、
前記洗浄水水位検知器の検知信号に基づいて前記ポンプが停止される請求項１〜３のいずれか１項に記載の盛り付け調理器具用移動式洗浄台。
【請求項５】
前記洗浄水水位検知器の検知信号に基づいて前記ポンプが停止された際に、光又は音により、前記ポンプが停止したことを知らせる通知装置を備える請求項４に記載の盛り付け調理器具用移動式洗浄台。
【請求項６】
前記洗浄槽は、オーバーフロー孔を備え、前記洗浄槽内の前記洗浄水の水位を一定とする請求項１〜５のいずれか１項に記載の盛り付け調理器具用移動式洗浄台。
【請求項７】
前記盛り付け調理器具は、ディッシャーである請求項１〜６のいずれか１項に記載の盛り付け調理器具用移動式洗浄台。
【考案の詳細な説明】
【技術分野】
【０００１】
本考案は、盛り付け調理器具を洗浄する移動式洗浄台に関する。
【背景技術】
【０００２】
アイスクリーム等の冷菓を提供する際、容器内に充填された冷菓を、ディッシャー等の盛り付け調理器具ですくいあげ、コーンやカップに盛り付けて提供される。このとき、盛り付け調理器具に付着した冷菓が残っていると、次の冷菓を提供する際に付着物が冷菓に混入してしまう。これを防ぐため、ディッシャーウェルと呼ばれる洗浄器で盛り付け調理器具を洗浄してから使用するのが一般的である。
【０００３】
上記のような洗浄器の態様として、特許文献１〜３には、洗浄槽と給排水管を備える洗浄器が記載されている。給水管は上水道に接続され、洗浄槽に水を供給する。洗浄槽にて盛り付け調理器具を洗浄した後、使用済みの排水は排水管より下水道に排出される。
【先行技術文献】
【特許文献】
【０００４】
【特許文献１】実公昭５４−５２５０号公報
【特許文献２】実公昭５７−５０９４３号公報
【特許文献３】特開平２−１３６１０９号公報
【考案の概要】
【考案が解決しようとする課題】
【０００５】
従来の洗浄器は、水の供給及び排水の処理のため、上下水道に接続されており、移動することが困難であった。そのため、上下水道設備の設置が困難な屋外やパーティ会場等で冷菓を提供する場合には、水を張った洗浄槽を準備し、盛り付け調理器具を洗浄することが考えられるが、洗浄槽の水を人手によって交換する必要があり、不都合である。
【０００６】
本考案は、上記の問題に鑑みてなされたものであり、洗浄槽への給水及び排水が容易であり、移動可能な盛り付け調理器具用洗浄台を提供することを課題とする。
【課題を解決するための手段】
【０００７】
上記の課題を解決する本考案の盛り付け調理器具用移動式洗浄台は、
キャスターを備える本体部と、
前記本体部の上部に開口を有し、盛り付け調理器具を洗浄する洗浄槽と、
前記洗浄槽に洗浄水を供給する注水口と、
前記洗浄水を収容する給水タンクと、
前記洗浄槽からの排水を収容する排水タンクと、
前記給水タンクより前記洗浄水を吸入し、前記注水口へ送るポンプと、
を備えることを特徴とする。
【考案の効果】
【０００８】
本考案にかかる盛り付け調理器具用移動式洗浄台は、給水タンクと排水タンクを備える。給水タンクに収容された洗浄水は、ポンプの動力により、注水口を介して洗浄槽に供給される。洗浄後の排水は、洗浄槽から排水タンクに収容可能である。このような構成とすることにより、洗浄槽への給水及び排水を容易に行うことが可能である。また、給水タンクと排水タンクを備えることにより、上下水道設備から切り離すことができ、本体部に設けられたキャスターにより、移動可能である。
【図面の簡単な説明】
【０００９】
【図１】本考案の盛り付け調理器具用移動式洗浄台を示す斜視図である。
【図２】本考案の盛り付け調理器具用移動式洗浄台の構成示す概略図である。
【図３】本考案の盛り付け調理器具用移動式洗浄台の機能を示すブロック図である。
【考案を実施するための形態】
【００１０】
本考案の盛り付け調理器具用移動式洗浄台を実施するための最良の形態を図面を参照して説明する。図１は本考案の盛り付け調理器具用移動式洗浄台を示す斜視図であり、図２はその構成を示す概略図である。なお、図２においては、本体部内部の構造を示すため、開閉部を省略している。図３は、本考案の盛り付け調理器具用移動式洗浄台の機能を示すブロック図である。
【００１１】
（盛り付け調理器具用移動式洗浄台の構成）
本考案の盛り付け調理器具用移動式洗浄台１は、ディッシャーやスクープ、スパチュラ等の盛り付け調理器具を洗浄する洗浄台である。盛り付け調理器具用移動式洗浄台１は、本体部２０と、本体部２０の上部に開口を有する洗浄槽３０と、注水口４０と、ポンプ５０と、給水タンク６１と、排水タンク６２と、を備える。給水タンク６１に収容された洗浄水は、ポンプ５０の動力により、注水口４０を介して洗浄槽３０に供給される。洗浄後の排水は、洗浄槽３０から排水タンク６２に収容される。
【００１２】
本体部２０は、上部に天板２１を備え、天板２１の下方は側板２２で囲まれており、側板２２の一部は、扉等により開閉可能な開閉部２４とされる。本体部２０の内部の空間には、給水タンク６１、排水タンク６２、ポンプ５０等を収容することができる。本体部２０の具体的な形態としては、例えば、コの字型に組んだ側板２２の上方を天板２１で覆い、側板２２がない側方の開口面に扉を設置し、開閉部２４とする形態が挙げられる。本体部２０は、箱型の形状を有するが、本体部２０は底板を備えてもよいし、備えなくてもよい。本体部２０が底板を備える場合、底板上に給水タンク６１、排水タンク６２等を載置することができる。本体部２０が底板を備えない場合、後述のタンク架台６３を設置することにより給水タンク６１、排水タンク６２等を載置することができる。底板又は側板２２の下には、キャスター２３が設けられ、本体部２０は、移動可能である。
【００１３】
天板２１には、上方に向かって開口を有し、盛り付け調理器具を洗浄する洗浄槽３０が設置される。洗浄槽３０は、内側槽３１及び外側槽３２を有し、内側槽３１にはオーバーフロー孔３３が設けられる。洗浄槽３０に供給された洗浄水は、内側槽３１の内側に溜まり、所定の水位を超えると、オーバーフロー孔３３から溢れだし、内側槽３１と外側槽３２との間隙を通って、外側槽３２の下部に接続された排水路３４より排出される。
【００１４】
本体部２０の内部の空間には、給水タンク６１及び排水タンク６２が収容される。給水タンク６１には、洗浄水が収容され、排水タンク６２には、使用済みの排水が収容される。排水タンク６２の容量は、給水タンク６１の容量と同じかそれより大きいことが好ましい。給水タンク６１及び排水タンク６２の具体的な容量としては、例えば、２０Ｌが例示できる。給水タンク６１及び排水タンク６２は、タンク架台６３に載置され、本体部２０の内部の空間に収容される。
【００１５】
タンク架台６３は、給水タンク６１及び排水タンク６２を載置する板状の載置部６４と、載置部６４の下部に設けられたキャスター６５とを備える。タンク架台６３は、キャスター６５を備えることにより、本体部２０から独立して移動可能である。さらに、タンク架台６３が本体部２０の内部の空間に収容された際に、タンク架台６３を本体部２０に係脱可能に係止する固定部６７を備えることが好ましい。固定部６７は、タンク架台６３を本体部２０に係脱可能に係止できるものであれば特に限定されない。例えば、本体部２０の側板２２に設けられた挿通孔と、タンク架台６３に設けられ、該挿通孔に挿通可能な挿通ピンとから構成することができる。給水タンク６１及び排水タンク６２を本体部２０の内部から取り出す際には、固定部６７を解除することで、タンク架台６３を本体部２０から独立して移動させることができる。一方、タンク架台６３を本体部２０の内部の空間に収容した際に、固定部６７によりタンク架台６３を本体部２０に係止すると、タンク架台６３及び本体部２０を一体に移動することができる。
【００１６】
給水タンク６１に収容された洗浄水はポンプ５０の動力により、注水口４０を介して洗浄槽３０に供給される。ポンプ５０には、洗浄水の流路となる給水パイプ５２が接続され、給水パイプ５２の末端に洗浄水を吸入する吸水口５１が設けられる。給水パイプ５２は吸水口５１が給水タンク６１内の洗浄水の液中に入るように給水タンク６１に挿入される。一方、給水パイプ５２の吐出側には、洗浄槽３０に洗浄水を供給する注水口４０が接続される。注水口４０は、孔状又はパイプ状の形状を有し、洗浄槽３０に対して、洗浄水を連続して供給する。
【００１７】
ポンプ５０は、制御部によって電子的に制御されることが好ましい。制御部としては、例えば、電源スイッチ５４、ブレーカー５５、出力調節器５６、リレースイッチ５７等が挙げられる。電源スイッチ５４は、ポンプ５０への電力供給を切り替え、ポンプ５０を運転、停止させる。ブレーカー５５は、突発的なポンプ負荷の上昇等の異常状態を検知し、ポンプ５０への電力供給を遮断する。出力調節器５６は、ポンプ５０の出力を調節し、給水パイプ５２内を流れる洗浄水の流量を調節する。ポンプ５０の出力は、例えば、ポンプ５０への電力供給量を調節することで調節することができる。リレースイッチ５７は、センサ類からの検知信号に基づいて、ポンプ５０への電力供給を切り替え、ポンプ５０を運転、停止させる。センサ類としては、例えば、洗浄水水位検知器６６等が挙げられる。洗浄水水位検知器６６は、給水タンク６１内において、ポンプ５０の吸水口５１の近傍に設置され、給水タンク６１内の洗浄水の水位が所定以下になるとポンプ５０を停止させる。このとき、光又は音により、前記ポンプが停止したことを知らせる通知装置により、ポンプ５０が停止したことを知らせるとよい。ポンプ５０が停止したことを知らせる方法としては、例えば、本体部２０の側板２２に外部から視認可能に設けられた表示ランプ５８を発光させる方法やブザーにより音を発信する方法が挙げられる。
【００１８】
（盛り付け調理器具用移動式洗浄台の使用）
本考案の盛り付け調理器具用移動式洗浄台１の使用の一形態を説明する。まず、給水タンク６１及び排水タンク６２を準備する。給水タンク６１には洗浄水を充填する。洗浄水は、水道水等の清潔な水を用いることができる。また、洗浄水には人体に無害な洗浄成分を適宜混合してもよい。排水タンク６２は、空の状態としておく。排水タンク６２の容量は、給水タンク６１の容量と同じかそれより大きいことが好ましい。排水タンク６２の容量が給水タンク６１の容量以上であると、給水タンク６１内の洗浄水をすべて使いきったとしても、使用後の排水をすべて排水タンク６２に収容することができる。給水タンク６１及び排水タンク６２の具体的な容量としては、例えば、２０Ｌが例示できる。洗浄水を充填した給水タンク６１、及び、空の排水タンク６２をタンク架台６３に載置し、本体部２０の内部の空間に収容する。ことのき、固定部６７により、タンク架台６３を本体部２０に係止する。盛り付け調理器具用移動式洗浄台１は、給水タンク６１及び排水タンク６２を備えることにより、上下水道設備と切り離して移動することができる。
【００１９】
次にポンプ５０に接続された給水パイプ５２の吸水口５１及び洗浄水水位検知器６６を、給水タンク６１に挿入する。吸水口５１及び洗浄水水位検知器６６は、使用開始時に洗浄水の液中に入るように設置する。より具体的には、吸水口５１は、給水タンク６１内の底付近に設置し、ポンプ５０が給水タンク６１内のほぼ全量の洗浄水を吸入できるようにすることが好ましい。洗浄水水位検知器６６は、ポンプ５０が洗浄水を吸入できなくなる水位、すなわち、吸水口５１が洗浄水の液面に露出する水位、又は、その直前の水位を検知できる位置に設置することが好ましい。洗浄水水位検知器６６は、あらかじめ、給水パイプ５２又は吸水口５１に固定しておくと設置が容易である。この状態で、盛り付け調理器具用移動式洗浄台１が使用可能となる。
【００２０】
盛り付け調理器具用移動式洗浄台１を使用場所に移動させ、外部電源又はバッテリーに接続し、電源スイッチ５４を操作しポンプ５０に対して電力を供給する。出力調節器５６により、ポンプ５０への電力供給量を調節し、ポンプ５０の出力を調節する。ポンプ５０は、洗浄水を吸水口５１より吸入し、給水パイプ５２を経て、注水口４０へ送る。注水口４０は、連続して一定の流量で洗浄槽３０に洗浄水を供給する。洗浄水の流量は、出力調節器５６により調節することができる。洗浄水の流量としては、例えば、２００〜２５０ｍｌ／分程度とするとよい。給水タンク６１内に２０Ｌの洗浄水を収容した場合、流量を２００〜２５０ｍｌ／分とすると、８０〜１００分間連続で洗浄水を供給することができる。
【００２１】
注水口４０より供給された洗浄水は、洗浄槽３０に溜まる。洗浄槽３０には、オーバーフロー孔３３が設けられ、洗浄槽３０内の洗浄水の水位が一定に保たれる。注水口４０より洗浄水を連続して供給することにより、洗浄槽３０内の洗浄水が絶えず入れ替えられ、清潔な状態に保たれる。オーバーフロー孔３３から溢れだした排水は、洗浄槽３０の内側槽３１と外側槽３２との間隙を通って、外側槽３２の下部に接続された排水路３４より排水タンク６２へ排出される。
【００２２】
盛り付け調理器具用移動式洗浄台１において、給水タンク６１内の洗浄水が所定の水位以下になったことが、洗浄水水位検知器６６によって検知される。リレースイッチ５７は、洗浄水水位検知器６６の検知信号に基づいてポンプ５０の運転を停止する。洗浄水水位検知器６６は、ポンプ５０の吸水口５１の近傍に設置され、給水タンク６１内の洗浄水の水位が所定以下になるとポンプ５０を停止させる。より具体的には、洗浄水水位検知器６６は、ポンプ５０が洗浄水を吸入できなくなる水位、すなわち、吸水口５１が洗浄水の液面に露出する水位、又は、その直前の水位となったことを検知し、ポンプ５０を停止させる。このとき、洗浄水水位検知器６６の検知信号に基づいて、表示ランプ５８等の通知装置を作動させ、ポンプ５０が停止したことを知らせるとよい。
【００２３】
給水タンク６１内の洗浄水の水位が所定以下となり、ポンプ５０が停止した際には、給水タンク６１及び排水タンク６２の交換や、給水タンク６１への洗浄水の補充、及び、排水タンク６２内に収容された排水の除去が必要である。これらの処理をすることで、盛り付け調理器具用移動式洗浄台１を引き続き使用することができる。給水タンク６１及び排水タンク６２は、本体部２０から独立して移動可能なタンク架台６３に載置されている。給水タンク６１及び排水タンク６２を、タンク架台６３と共に本体部２０から引き出すことにより、給水タンク６１及び排水タンク６２の交換や、給水タンク６１への洗浄水の補充、及び、排水タンク６２内に収容された排水の除去が容易である。
【００２４】
本考案の盛り付け調理器具用移動式洗浄台１は、洗浄槽３０への給水及び排水が容易であり、さらに、上下水道設備から切り離して移動可能である。そのため、上下水道設備を設置しにくい屋外やパーティ会場等での食品の提供に用いられるディッシャーやスクープ、スパチュラ等の盛り付け調理器具の洗浄に効果的である。アイスクリーム等の冷菓を提供する際には、盛り付け調理器具に付着した冷菓を、洗浄水で除去しやすいことから特に効果的であるが、その他の食品に用いられる各種盛り付け調理器具に対しても適用可能である。
【００２５】
（変形例）
上記の例では、給水タンク６１内に洗浄水水位検知器６６を備えたものを説明したが、洗浄水水位検知器６６に代えて、排水タンク６２内に排水水位検知器を備えてもよい。排水水位検知器は排水タンク６２の上方に設置され、排水タンク６２内の排水の水位が所定以上となると、ポンプ５０を停止させる。排水タンク６２内に排水水位検知器を備えると、排水タンク６２から排水が溢れることを防止できる。排水水位検知器は、単独で用いてもよいし、洗浄水水位検知器６６と組み合わせて用いてもよい。排水水位検知器を単独で用いる場合、排水タンク６２の容量は、給水タンク６１の容量と同じかそれより小さくしてもよい。
【００２６】
また、上記の例では、注水口４０は、洗浄水を連続して供給する孔状又はパイプ状としたが、注水口４０を水栓を有する蛇口としてもよい。注水口４０が蛇口であると、洗浄水の流量は、出力調節器５６に加えて、蛇口の水栓の開き具合によっても調節することができる。注水口４０を蛇口とする場合、給水パイプ５２に圧力センサを設けることが好ましい。蛇口の水栓を閉じた状態で、ポンプ５０を運転させると、給水パイプ５２内の圧力が増大する。この圧力の増大を検知し、ポンプ５０を一時的に停止させると、ポンプ５０の負荷を低減することができる。
【符号の説明】
【００２７】
１：盛り付け調理器具用移動式洗浄台、  ２０：本体部、  ２１：天板、  ２２：側板、  ２３：キャスター、  ２４：開閉部、  ３０：洗浄槽、  ３１：内側槽、  ３２：外側槽、  ３３：オーバーフロー孔、  ３４：排水路、  ４０：注水口、  ５０：ポンプ、  ５１：吸水口、  ５２：給水パイプ、  ５４：電源スイッチ、  ５５：ブレーカー、  ５６：出力調節器、  ５７：リレースイッチ、  ５８：表示ランプ、  ６１：給水タンク、  ６２：排水タンク、  ６３：タンク架台、  ６４：載置部、  ６５：キャスター、  ６６：洗浄水水位検知器、  ６７：固定部
【図１】
0003224052.tif 000003
【図２】
0003224052.tif 000004
【図３】
0003224052.tif 000005